(57)【要約】【課題】  スタックリングに衝突することなく、対物レンズがレーザー光を情報面に集光することが可能な対物レンズ保持装置及び光ピックアップ装置を提供することを目的とする。【解決手段】  レーザー光が入射する一方の面の、情報面の最内周の位置より更に内周の位置から突出するスタックリングを有する光ディスク媒体の一方の面と対向し、レーザー光を情報面に集光するための対物レンズを保持するとともに光ディスク媒体の径方向を移動する対物レンズ保持装置であって、光ディスク媒体の厚み方向における一方の面との距離が、厚み方向におけるスタックリングの突出長より短く設定される場合、対物レンズがレーザー光を情報面の最内周の位置に集光するとき、スタックリングに衝突することを回避するための切欠部、を備えたことを特徴とする。【選択図】    図１
2007026482.tif 000002
【特許請求の範囲】
【請求項１】
レーザー光が入射する一方の面の、情報面の最内周の位置より更に内周の位置から突出するスタックリングを有する光ディスク媒体の前記一方の面と対向し、前記レーザー光を前記情報面に集光するための対物レンズを保持するとともに前記光ディスク媒体の径方向を移動する対物レンズ保持装置であって、
前記光ディスク媒体の厚み方向における前記一方の面との距離が、前記厚み方向における前記スタックリングの突出長より短く設定される場合、
前記対物レンズが前記レーザー光を前記情報面の最内周の位置に集光するとき、前記スタックリングに衝突することを回避するための切欠部、
を備えたことを特徴とする対物レンズ保持装置。
【請求項２】
重量バランスを保持するためのダミー切欠部、を更に備えたことを特徴とする請求項１に記載の対物レンズ保持装置。
【請求項３】
前記切欠部と前記ダミー切欠部は、
前記一方の面と対向する面の一部を、前記径方向における前記対物レンズの中心線を境に線対称となるように切り欠くことにより形成される、
ことを特徴とする請求項２に記載の対物レンズ保持装置。
【請求項４】
前記一方の面と対向する内周側において前記対物レンズを保持する円筒形状であって、
前記切欠部は、
前記一方の面と対向する面の外周側を切り欠くことにより形成される、
ことを特徴とする請求項１に記載の対物レンズ保持装置。
【請求項５】
複数の光ディスク媒体の保護層の厚みに応じた開口数で定まる複数の領域を有し、前記保護層の厚みが異なる光ディスク媒体の情報面に対する、前記複数の領域に入射する前記保護層の厚みに応じたレーザー光の収差を、前記対物レンズを介して補正するための収差補正用素子を保持する、
ことを特徴とする請求項１乃至請求項４の何れかに記載の対物レンズ保持装置。
【請求項６】
前記請求項１乃至請求項５の何れかに記載の対物レンズ保持装置を備えた、
ことを特徴とする光ピックアップ装置。
【発明の詳細な説明】
【技術分野】
【０００１】
本発明は、対物レンズ保持装置、光ピックアップ装置に関する。
【背景技術】
【０００２】
現在、情報の記録／再生のための光ディスク媒体としてＣＤ（Compact Disk：保護層の厚み１．２ｍｍ）、ＤＶＤ（Digital Versatile Disc：保護層の厚み０．６ｍｍ）等がある。更に、近年、ＣＤ、ＤＶＤよりも高密度な記録が可能となる、Ｂｌｕ-ｒａｙ Ｄｉｓｃ（保護層の厚み０．１ｍｍ〜０．０７５ｍｍ、登録商標）、ＨＤ_ＤＶＤ（High Definition Disc：保護層の厚み０．６ｍｍ）が提唱されている。
【０００３】
これらの光ディスク媒体には、光ディスク媒体を積み重ねたときの、レーザー光が入射する面（以下、入射面という）の損傷を防止するために、図８に示すようなスタックリング１０２が予め形成されている。スタックリング１０２は、入射面の、情報面１０３の最内周のトラックより更に内周の位置から−Ｘ方向へ突出して形成されている。尚、このスタックリング１０２の内周側の直径ｄ１、外周側の直径ｄ２、−Ｘ方向への突出長ｈの長さは規格によって予め定められている。そして、例えば、センターホールに貫通棒（不図示）を貫通させて光ディスク媒体を−Ｘ方向へ順次積み重ねる場合、既に積み重ねられた光ディスク媒体のレーザー光が入射されない面に、次に積み重ねられる光ディスク媒体１０１のスタックリング１０２が接触する。この結果、既に積み重ねられた光ディスク媒体のレーザー光が入射されない面に、光ディスク媒体１０１の入射面が接触しないため、当該入射面とレーザー光が入射されない面との接触による損傷が防止されることとなる。
【０００４】
そして、このスタックリング１０２が形成された光ディスク媒体１０１の情報面１０３に対して、情報の記録／再生のためのレーザー光が対物レンズ１０４にて集光されて照射されることとなる。この対物レンズ１０４は、対物レンズ保持装置１０５によって保持されて、光ディスク媒体１０１の径方向（Ｙ方向）を移動するためのアクチュエータ（不図示）に組み込まれる。尚、図８における斜線は、対物レンズ保持装置１０５の断面を表すものである。光ディスク媒体１０１は、センターホールがディスクモータ（不図示）の先端のチャッキング機構により保持されて、所定の線速度（又は角速度）で回転する。そして、対物レンズ１０４は、アクチュエータによって径方向を内周側（＋Ｙ方向）から外周側（−Ｙ方向）へ移動しつつ、レーザー光を情報面１０３に集光する。この結果、光ディスク媒体１０１に対する良好な記録／再生が行われることとなる。
【０００５】
更に、近年においては、例えば、保護層の厚みが薄いＢｌｕ-ｒａｙ Ｄｉｓｃと保護層の厚みが厚いＣＤやＤＶＤに対する記録／再生において、単一の対物レンズを兼用可能とする収差補正用素子（例えば、位相補正素子）が用いられている。図９の（ａ）はＢｌｕ-ｒａｙ Ｄｉｓｃ１０７の情報面１０３に対して、（ｂ）はＤＶＤ１０８の情報面１０３に対して、（ｃ）はＣＤ１０９の情報面１０３に対して、収差補正用素子１０６、対物レンズ１０４を介してレーザー光を照射したときの様子を示す図である。図９に示すように、収差補正用素子１０６によって保護層の厚みが異なることに起因する収差が補正されて、各光ディスク媒体の情報面１０３にレーザー光が集光され、良好な記録／再生が行われることとなる。
【特許文献１】特開２００３−４０３８３号
【特許文献２】特開２００５−３８５７５号
【発明の開示】
【発明が解決しようとする課題】
【０００６】
しかしながら、各光ディスク媒体の入射面と対物レンズ１０４との距離（以下、この距離をＷＤ（Working Distance）という）が、保護層の厚みが薄いＢｌｕ-ｒａｙ Ｄｉｓｃ１０４に応じたＷＤで定まる場合、保護層の厚みが厚いＤＶＤ１０８、ＣＤ１０９に対するＷＤが小さくなっていた。そのため、例えば、ＣＤ１０９のＷＤが、スタックリング１０２の突出長ｈより短くなる場合であって、対物レンズ１０４がＣＤ１０９の情報面１０３の最内周のトラックに集光するとき、図１０に示すようにスタックリング１０２と対物レンズ保持装置１０５が衝突してしまう恐れがあった。そして、仮にスタックリング１０２と対物レンズ保持装置１０５が衝突した場合、例えば、対物レンズ保持装置１０５とともに対物レンズ１０４が情報面１０３に対して傾斜し、情報面１０３に対するレーザー光の集光が正確になされなくなる可能性があった。このため、ＣＤ１０９に対する情報の記録／再生が正確に行われなかったり、記録／再生が出来なくなるという可能性があった。つまり、保護層の厚みが異なる光ディスク媒体に対物レンズ１０４を兼用する場合、保護層の厚みが厚い光ディスク媒体に対する記録／再生において、対物レンズ１０４及び収差補正用素子１０６を保持する対物レンズ保持装置１０５とスタックリング１０２が衝突する可能性が高くなっていた。特に、ＣＤ−Ｒ（ＣＤ Recordable）やＣＤ−ＲＷ（ＣＤ ReWritable）においては、情報面１０３の最内周のトラック近傍に試し書きのための領域やディスク情報（例えばアドレス情報）が記録された領域があるため、当該情報面１０３の最内周のトラック近傍に対物レンズ１０４が移動する必要があり、対物レンズ保持装置１０５とスタックリング１０２が衝突する可能性が更に高くなっていた。
【０００７】
一方、ＣＤ１０９のＷＤが、スタックリング１０２の突出長ｈより長く設定しようとすると、対物レンズ１０４等の大型化が必要となり、コストアップ、重量増という問題があり、ＣＤ１０９のＷＤを長く設定するには限界があった。
【０００８】
そこで、本発明は、スタックリングに衝突することなく、対物レンズがレーザー光を情報面に集光することが可能な対物レンズ保持装置及び光ピックアップ装置を提供することを目的とする。
【課題を解決するための手段】
【０００９】
前記課題を解決するための発明に係る対物レンズ保持装置は、レーザー光が入射する一方の面の、情報面の最内周の位置より更に内周の位置から突出するスタックリングを有する光ディスク媒体の前記一方の面と対向し、前記レーザー光を前記情報面に集光するための対物レンズを保持するとともに前記光ディスク媒体の径方向を移動する対物レンズ保持装置であって、前記光ディスク媒体の厚み方向における前記一方の面との距離が、前記厚み方向における前記スタックリングの突出長より短く設定される場合、前記対物レンズが前記レーザー光を前記情報面の最内周の位置に集光するとき、前記スタックリングに衝突することを回避するための切欠部、を備えたことを特徴とする。
【００１０】
また、前記課題を解決するための発明に係る光ピックアップ装置は、前記対物レンズ保持層を備えたことを特徴とする。
【発明の効果】
【００１１】
本発明によれば、スタックリングに衝突することなく、対物レンズがレーザー光を情報面に集光することが可能な対物レンズ保持装置及び光ピックアップ装置を提供することが可能となる。
【発明を実施するための最良の形態】
【００１２】
本明細書および添付図面の記載により、少なくとも以下の事項が明らかとなる。
【００１３】
＜＜実施形態＞＞
＝＝対物レンズ保持装置の構成例＝＝
図１、図２、図１０を参照しつつ、本発明に係る対物レンズ保持装置２の構成について説明する。尚、図１、図２におけるＸ方向はＣＤ６の厚み方向を示すとともに＋Ｘ方向はレーザー光の入射方向を示している。また、Ｙ方向は、対物レンズ１が対物レンズ保持装置２に保持されて移動するＣＤ６の径方向（半径方向、ラジアル方向ともいう）を示している。そして、図１（ａ）は、＋Ｘ方向から対物レンズ保持装置２を見たときの正面図である。また、図１（ｂ）は、Ｘ方向及びＹ方向と直交し、ＣＤ６のトラックと平行なタンジェンシャル方向（接線方向ともいう）を示すＺ方向から対物レンズ保持装置２を見たときの正面図である。図２は、対物レンズ保持装置２とスタックリング８の様子を示す図である。尚、図１、図２における右から左へ下る斜線は、対物レンズ保持装置２の断面を表すものであり、図１以降の図面においても同様に、本発明に係る対物レンズ保持装置の断面を表すものとする。また、本実施形態において対物レンズ保持装置２は、Ｂｌｕ-ｒａｙ Ｄｉｓｃ（不図示）、ＣＤ６、ＤＶＤ（不図示）に対し、単一の対物レンズ１を兼用可能とするための位相補正素子３を保持すべく設けられているが、これに限るものではない。例えば、Ｂｌｕ-ｒａｙ Ｄｉｓｃ専用の対物レンズのみを保持する場合であって、対物レンズ保持装置２が組み込まれる光ピックアップ装置の小型化により、ＷＤがスタッグリング８の−Ｘ方向への突出長ｈより短く設定される場合においても、本発明に係る対物レンズ保持装置２は当然に適用可能である。そして、本実施形態においては、ＣＤ６の情報面７の最内周のトラックに対物レンズ１がレーザー光を集光するとき、スタックリング８と従来の対物レンズ保持装置が衝突するものとして以下説明する。
【００１４】
位相補正素子３は、対物レンズ１と対向する側が、対物レンズ保持装置２の開口制限部９によってＢｌｕ-ｒａｙ Ｄｉｓｃに対応した開口数（以下、ＮＡ（Numerical Aperture）という）０．８５に制限されている。そして、位相補正素子３は、−Ｘ方向から入射される、Ｂｌｕ-ｒａｙ Ｄｉｓｃに対応した４００ｎｍ〜４１０ｎｍの青紫色レーザー光を透過し、対物レンズ１に出射する。また、位相補正素子３は、ＤＶＤに対応したＮＡ０．６０〜０．６５の領域において−Ｘ方向から入射される、当該ＤＶＤに対応した６５０ｎｍ〜６６０ｎｍの赤色レーザー光に対し位相補正を施して対物レンズ１に出射する。また、位相補正素子３は、ＣＤ６に対応したＮＡ０．４５〜０．５０の領域において−Ｘ方向から入射される、当該ＣＤ６に対応した７８０ｎｍ〜７９０ｎｍの赤外レーザー光に対し位相補正を施して対物レンズ１に出射する。
【００１５】
対物レンズ１は、Ｂｌｕ-ｒａｙ Ｄｉｓｃに対応したＮＡ０．８５を有する対物レンズである。対物レンズ１は、位相補正素子３からの青紫色レーザー光を、Ｂｌｕ-ｒａｙ Ｄｉｓｃの情報面に対して収差が略ゼロとなるように集光する。また、対物レンズ１は、ＮＡ０．６０〜０．６５の領域における位相補正素子３からの赤色レーザー光を、ＤＶＤの情報面に対して収差が略ゼロとなるように集光する。また、対物レンズ１は、ＮＡ０．４５〜０．５０の領域における位相補正素子３からの赤外レーザー光を、ＣＤ６の情報面７に対して収差が略ゼロとなるように集光する。
【００１６】
対物レンズ保持装置２は、例えば円筒形の形状を有しており、内径側において対物レンズ１及び位相補正素子３を所定の距離で保持する。この所定の間隔は、ＤＶＤの情報面に対するＮＡ０．６０〜０．６５の領域の位相補正素子３からの赤色レーザー光の収差、及び、ＣＤ６の情報面７に対するＮＡ０．４５〜０．５０の領域の位相補正素子３からの赤外レーザー光の収差が、略ゼロとなるように一義的に定まる間隔である。尚、対物レンズ１及び位相補正素子３は、一般的な手段である接着剤による接着、或いは、周知の技術である固着または嵌め込み等の手段をもって対物レンズ保持装置２に固定されている。対物レンズ保持装置２は、対物レンズ１と位相補正素子３を保持しつつ、後述するアクチュエータの保持部４に組み込まれる。
【００１７】
対物レンズ保持装置２は、ＣＤ６の情報面７の最内周のトラックに対物レンズ１が赤外レーザー光を集光するとき（図２参照）、スタックリング８との衝突を回避するための切欠部１４が形成されている。この切欠部１４は、Ｘ方向において、スタックリング８の突出長ｈとＷＤとの差よりも長い長さのｘ１で切り欠かれている。また、切欠部１４は、Ｙ方向において、Ｘ方向におけるＣＤ６と対向する面の位置と、Ｙ方向における対物レンズ保持装置２のスタッグリング８側の面の位置との交点Ｐからの、当該スタッグリング８の長さｙ４よりも長い長さのｙ１で切り欠かれている。また、切欠部１４は、Ｚ方向において直線状に切り欠かれている。尚、本実施形態において切欠部１４は、前述した形状にて設けているが、これに限るものではない。ＣＤ６の情報面７の最内周のトラックに対物レンズ１が赤外レーザー光を集光するとき、スタックリング８との衝突を回避するような形状であれば良い。つまり、切欠部１４が対物レンズ保持装置２に形成されていないときの、当該対物レンズ保持装置２とスタックリング８が重なる部分（図１０の１０９参照、塗り潰し部分）より大きい形状で形成すれば良い。
【００１８】
また、対物レンズ保持装置２は、切欠部１４が対物レンズ保持装置２に形成されたことによる、Ｂｌｕ-ｒａｙ Ｄｉｓｃ、ＤＶＤ、ＣＤ６の情報面に対する当該対物レンズ保持装置２の重量バランスを保持するためのダミー切欠部１５が形成されている。このダミー切欠部１５は、Ｘ方向においてｘ１と同じ長さのｘ２で切り欠かれ、Ｙ方向においてｙ１と同じ長さのｙ２で切り欠かれ、Ｚ方向において直線状に切り欠かれている。つまり、切欠部１４とダミー切欠部１５は同じ大きさであって、対物レンズ１の中心をとおるＺ方向と平行なＺ１方向（中心線、図１）において、切欠部１４と線対称となるように形成されている。この結果、対物レンズ１及び位相補正素子３を保持したときの対物レンズ保持装置２の重心位置は、Ｂｌｕ-ｒａｙ Ｄｉｓｃ、ＤＶＤ、ＣＤ６の情報面に対して直交し、対物レンズ１の中心をとおる線（Ｘ方向に平行な線）上となる。よって、切欠部１４が形成されたことによる対物レンズ保持装置２の重量バランスが保持され、レーザー光が正確に情報面に集光されることとなる。尚、本実施形態においてダミー切欠部１５は、切欠部１４とＺ１方向において線対称となる形状で設けられているが、これに限るものではない。前述したように、対物レンズ１及び位相補正素子３を保持したときの対物レンズ保持装置２の重心位置が、Ｂｌｕ-ｒａｙ Ｄｉｓｃ、ＤＶＤ、ＣＤ６の情報面に対して直交し、対物レンズ１の中心をとおる線上となるような形状及び位置で形成されていれば良い。
【００１９】
＝＝アクチュエータの保持部の構成＝＝
図３、図４を参照しつつ、本発明に係る対物レンズ保持装置２が組み込まれるアクチュエータの保持部４の構成について説明する。図３は、本発明に係る対物レンズ保持装置２をアクチュエータの保持部４に組み込んだときの斜視図である。図４は、図３に示すアクチュエータの保持部４をＺ方向から見たときの正面図である。尚、図４における左から右へ下る斜線は、アクチュエータの保持部４の断面を表すものである。図３、図４に示すアクチュエータの保持部４、サスペンションワイヤー５は、Ｂｌｕ-ｒａｙ Ｄｉｓｃ、ＤＶＤ、ＣＤ６の情報面に対する対物レンズ１のトラッキング（Ｙ方向）制御、フォーカシング（Ｘ方向）制御、チルト制御を行うためのアクチュエータの構成の一部である。尚、図３、図４においては、一般的なアクチュエータが有するトラッキング用駆動コイル等の磁気回路部は省略している。
【００２０】
サスペンションワイヤー５は、周知のワイヤサスペンション方式により対物レンズ１のトラッキング制御等を実現させるべく、アクチュエータの保持部４に接着等の手段によって固着されている。また、サスペンションワイヤー５は、所定の弾性率を有しておりアクチュエータの保持部４を支持している。サスペンションワイヤー５は、一端側がアクチュエータの保持部４に固着されてＺ方向と平行に導出され、他端側（不図示）がプリント基板（不図示）の配線パターンに半田等で固着されている。また、サスペンションワイヤー５は、Ｙ方向に対して平行な３対のワイヤーからなり、各対のワイヤーはＸ方向において所定の間隔で形成されている。そして、サスペンションワイヤー５は、アクチュエータの保持部４内部に形成されるトラッキング用駆動コイル等に、プリント基板からの電流を供給するための電流路を果たしている。尚、本実施形態においては、６本のワイヤーを用いたワイヤサスペンション方式を採用しているが、同様に一般的な４本のワイヤーを用いたワイヤサスペンション方式を採用しても良い。
【００２１】
アクチュエータの保持部４は、対物レンズ保持装置２を保持するとともに、−Ｘ方向からのレーザー光を対物レンズ１に入射させるための保持孔１２を有している。そして、このアクチュエータの保持部４の保持孔１２に対物レンズ保持装置２が挿入されることによって、当該アクチュエータの保持部４は対物レンズ保持装置２の−Ｘ方向の面の一部とＹ方向の面を保持する。尚、このとき、対物レンズ保持装置２の切欠部１４が、スタックリング８と対向するように＋Ｙ方向に設置される。また、切欠部１４が＋Ｙ方向となるように設置されることによって、ダミー切欠部１５が−Ｙ方向となる。
【００２２】
＝＝対物レンズ保持装置のスタックリングとの衝突の回避＝＝
図２を参照しつつ、本発明に係る対物レンズ保持装置２のスタックリング８との衝突の回避について説明する。
【００２３】
対物レンズ１がＣＤ６の情報面７の最内周のトラックに赤外レーザー光を集光するために、対物レンズ保持装置２が当該対物レンズ１とともに＋Ｙ方向に移動する。このとき、対物レンズ保持装置２には、切欠部１４が形成されているため、スタックリング８と衝突しないこととなる。更に、ダミー切欠部１５によって、対物レンズ１及び位相補正素子３を保持したときの対物レンズ保持装置２の重心位置が、Ｂｌｕ-ｒａｙ Ｄｉｓｃ、ＤＶＤ、ＣＤ６の情報面に対して直交し対物レンズ１の中心をとおる線上となっているため、当該対物レンズ１からの赤外レーザー光が、ＣＤ６の情報面７の最内周のトラックに正確に集光されることとなる。従って、ＣＤ６の情報面７の最内周のトラックに対する、情報の記録／再生が良好に行われることとなる。
【００２４】
尚、本実施形態において対物レンズ保持装置２は、ＣＤ６の情報面７の最内周のトラックに対物レンズ１がレーザー光を集光するとき、スタックリング８と従来の対物レンズ保持装置が衝突するものとして切欠部１４を形成しているが、これに限るものではない。Ｂｌｕ-ｒａｙ Ｄｉｓｃ、ＤＶＤ、ＣＤ６の何れかの情報面のトラックに対物レンズ１がレーザー光を集光するときスタックリング８と衝突する場合、当該スタックリング８と従来の対物レンズ保持装置と重なる部分が最大となる部分に応じて、切欠部１４を形成すれば良い。
【００２５】
＝＝その他の実施形態＝＝
以上、本発明に係る対物レンズ保持装置について説明したが、上記の説明は、本発明の理解を容易とするためのものであり、本発明を限定するものではない。本発明は、その趣旨を逸脱することなく、変更、改良され得る。
【００２６】
＜＜対物レンズ保持装置のその他の形態＞＞
上述した実施形態において対物レンズ保持装置２は、切欠部１４及びダミー切欠部１５を形成することによって、スタックリング８との衝突の回避、及び当該切欠部１４を形成したことによる対物レンズ保持装置２の重量バランスの保持を行っているが、これに限るものではない。例えば、図５に示すような、＋Ｘ方向から見たときリング状となる切欠部１６を有する対物レンズ保持装置１０としても良い。図５に示す対物レンズ保持装置１０は、光ディスク媒体に対向する側（＋Ｘ方向）であって、Ｘ方向及びＺ方向における対物レンズ１を保持していない当該対物レンズ保持装置１０の外周側に、前述の切欠部１４を形成した対物レンズ保持装置である。従って、Ｘ方向におけるｘ３はｘ１と同じ長さで切り欠かれ、Ｙ方向におけるｙ３はｙ１と同じ長さで切り欠かれている。この結果、対物レンズ保持装置１０は、スタックリング８との衝突を回避可能となり、また、対物レンズ１及び位相補正素子３を保持したときの対物レンズ保持装置１０の重心位置が、Ｂｌｕ-ｒａｙ Ｄｉｓｃ、ＤＶＤ、ＣＤ６の情報面に対して直交し、対物レンズ１の中心をとおる線上となる。更に、上述した実施形態の対物レンズ保持装置２においては、アクチュエータの保持部４に組み込まれる際、＋Ｙ方向に切欠部１４が設置されるように当該対物レンズ保持装置２の方向性を考慮する必要があった。しかしながら、対物レンズ保持装置１０においては、切欠部１４と同様な切欠部１６が外周側全てに形成されているため、方向性を気にすることなく、アクチュエータの保持部４に組み込むことが可能となる。尚、対物レンズ保持装置１０においては、切欠部１６を外周側全てに形成しているがこれに限るものではない。例えば、当該外周側における切欠部１６を、スタックリング８との衝突を回避し、且つ、重量バランスを保持することが可能となるように断続的に設けても良い。
【００２７】
＜＜対物レンズ保持装置とアクチュエータの保持部の一体化＞＞
上述した実施形態は、アクチュエータの保持部４の保持孔１２に対物レンズ保持装置２を組み込む構造であるため、当該対物レンズ保持装置２に切欠部１４及びダミー切欠部１５を形成しているが、これに限るものではない。例えば、図６、図７に示すような対物レンズ保持装置とアクチュエータの保持部が一体となる対物レンズ保持装置１１である場合、当該対物レンズ保持装置１１に切欠部１４及びダミー切欠部１５を形成しても良い。図６は、対物レンズ保持装置１１の斜視図である。図７は、図６に示す対物レンズ保持装置１１をＺ方向から見たときの正面図である。尚、図７における右から左へ下る斜線は、対物レンズ保持装置１１の断面を表すものである。対物レンズ保持装置１１は、対物レンズ１及び位相補正素子３を直接、当該対物レンズ保持装置１１に組み込む構造を有している。そして、図７に示す対物レンズ保持装置１１の断面図は、図４に示す対物レンズ保持装置２及びアクチュエータの保持部４が一体となったときの断面図と同様の形状となっている。つまり、対物レンズ保持装置とアクチュエータの保持部が一体となる対物レンズ保持装置１１である場合、当該対物レンズ保持装置１１に切欠部１４及びダミー切欠部１５を形成することで、スタックリング８との衝突を回避することが可能となる。
【００２８】
上述した実施形態によれば、ＷＤがスタックリング８の突出長ｈより短く設定される場合における対物レンズ保持装置２とスタックリング８の衝突を回避することが可能となる。この結果、対物レンズ１はレーザー光をＣＤ６の情報面に対して正確に集光することが可能となり、当該ＣＤ６に対する記録／再生を確実に行うことが可能となる。
【００２９】
更に、ダミー切欠部１５を更に備えることによって、対物レンズ保持装置２の重量バランスを保持することが可能となり、当該対物レンズ保持装置２に保持される対物レンズ１は、Ｂｌｕ-ｒａｙ Ｄｉｓｃ、ＤＶＤ、ＣＤ６の情報面に対してレーザー光を確実に集光することが可能となる。
【００３０】
更に、ＣＤ６の入射面と対向する面の一部を、Ｙ方向における対物レンズ１の中心線（Ｚ１方向）を境に線対称となるように切り欠くことによって、切欠部１４とダミー切欠部１５を形成することにより、スタックリング８との衝突を回避し、且つ、重量バランスの保持を確実に行うことが可能となる。
【００３１】
また、上述した実施形態及びその他の実施形態によれば、保護層の厚みが異なる光ディスク媒体（例えばＢｌｕ-ｒａｙ Ｄｉｓｃ、ＤＶＤ、ＣＤ６）に対して対物レンズ１の兼用を可能とするための収差補正用素子６を、対物レンズ保持装置２は保持することが可能となる。この結果、例えば、保護層の厚みが厚くなるにつれて、ＷＤが短く設定されるとき、スタックリング８に対物レンズ保持装置２（１０、１１）が衝突することを回避することが可能となる。つまり、保護層の厚みが異なる光ディスク媒体の情報面に対してレーザー光が正確に集光され、当該保護層の厚みが異なる光ディスク媒体に対する記録／再生を確実に行うことが可能となる。
【００３２】
また、上述した実施形態及びその他の実施形態においては対物レンズ保持装置２（１０、１１）について説明したが、当該対物レンズ保持装置２（１０、１１）を備えた光ピックアップ装置においても同様の効果を奏することが可能となる。
【図面の簡単な説明】
【００３３】
【図１】本発明に係る対物レンズ保持装置の構成の一例を示す図である。
【図２】本発明に係る対物レンズ保持装置とスタックリングの様子を示す図である。
【図３】本発明に係る対物レンズ保持装置をアクチュエータの保持部に組み込んだときの斜視図である。
【図４】本発明に係る対物レンズ保持装置をアクチュエータの保持部に組み込んだときの断面図である。
【図５】本発明に係る対物レンズ保持装置のその他の形態を示す図である。
【図６】本発明に係る対物レンズ保持装置の斜視図である。
【図７】本発明に係る対物レンズ保持装置の断面図である。
【図８】光ディスク媒体と対物レンズの様子を示す図である。
【図９】各光ディスク媒体におけるＷＤを示す図である。
【図１０】従来の対物レンズ保持装置とスタックリングの様子を示す図である。
【符号の説明】
【００３４】
１、１０４  対物レンズ
２、１０、１１、１０５  対物レンズ保持装置
３      位相補正素子
４      アクチュエータの保持部
５      サスペンションワイヤー
６、１０９  ＣＤ
７、１０３  情報面
８      スタックリング
９      開口制限部
１２、１３  保持孔
１４、１６  切欠部
１５    ダミー切欠部
１０１  光ディスク媒体
１０２  スタックリング
１０６  収差補正用素子
１０７  Ｂｌｕ-ｒａｙ Ｄｉｓｃ
１０８  ＤＶＤ
１０９  対物レンズ保持装置とスタックリングの重なる部分
【図１】
2007026482.tif 000003
【図２】
2007026482.tif 000004
【図３】
2007026482.tif 000005
【図４】
2007026482.tif 000006
【図５】
2007026482.tif 000007
【図６】
2007026482.tif 000008
【図７】
2007026482.tif 000009
【図８】
2007026482.tif 000010
【図９】
2007026482.tif 000011
【図１０】
2007026482.tif 000012